(57)【要約】
【課題】窓枠サッシの内装化粧枠取付け金具に関して、従来品よりも容易・迅速に施工でき、かつ正確に位置決め・固定できるようにすること。
【解決手段】薄鋼板製で、ほぼ矩形状をした本体部１には、前後方向へ長い仮止め釘用孔４と、前後方向へ並んだ複数個の本止め釘用孔５を形成し、該本体部１の前部には、裏面側で斜め後方へ屈曲した後に前方へ屈曲した前板部６と、本体部１の前縁７中央部から後方への切欠き凹所８を形成するとともに、前縁７の両側を前方へ突出延長して尖頭の位置決め用爪片９，９を形成し、上記前板部６の表面寄り中央部を斜め前方へ延長して表面側への突出舌片１０を形成するとともに、その中央部に取付けネジ用孔１１を形成し、かつ該突出舌片１０両側に本体部１の前縁７からの切欠き部１２，１２を形成する。
【選択図】        図１
0003100760.tif 000002
【実用新案登録請求の範囲】
【請求項１】
薄鋼板製で、ほぼ矩形状をした本体部１には、前後方向へ長い仮止め釘用孔４と、前後方向へ並んだ複数個の本止め釘用孔５を形成し、
該本体部１の前部には、裏面側で斜め後方へ屈曲した後に前方へ屈曲した前板部６と、本体部１の前縁７中央部から後方への切欠き凹所８を形成するとともに、前縁７の両側を前方へ突出延長して尖頭の位置決め用爪片９，９を形成し、
上記前板部６の表面寄り中央部を斜め前方へ延長して表面側への突出舌片１０を形成するとともに、その中央部に取付け用ネジ用孔１１を形成し、
かつ、該突出舌片１０両側に本体部１の前縁７からの切欠き部１２，１２を形成したことを特長とする、窓枠サッシの内装化粧枠取付け金具。
【考案の詳細な説明】
【技術分野】
【０００１】
本考案は、窓枠サッシの内装化粧枠を開口部の枠柱に取付ける金具の改良に係り、従来品よりも容易・迅速に施工でき、しかも正確に位置決め・固定できることを特長とするものである。
【背景技術】
【０００２】
例えば木造建築物に窓枠サッシを取り付けるような場合、四角形の窓枠用開口部に枠柱内に窓枠サッシをはめ込んで固定するが、開口部は窓枠サッシよりも少し大きめに形成されている。そのため、窓枠サッシと開口部の枠柱との間に内装化粧枠を介在させている。      
【０００３】
近時、窓枠サッシに鍔部が付くようになってからは、上記内装化粧枠は予め窓枠サッシに取付けられていることが多いので、窓枠サッシを開口部へ取付ける場合には、該内装化粧枠を開口部の枠柱に位置決めして、固定するようになっている。
【０００４】
その内装化粧枠を開口部の枠柱へ位置決め・固定する手段として従来は、内装化粧枠と開口部の枠柱との隙間の各所に、クサビ状部材を打ち込んで位置を決め、ボンドで接着したり、外部から見えぬように隠し釘を打って取付けていた。
【０００５】
しかし施工に手間と時間がかかるとともに、固定の確実性に問題点があるため、本件と同一の考案者は次の特許文献に記載のものを考案した。
【特許文献１】特許第２６７１１９３号公報  これは、「建造物壁体開口部の建具用枠体を固定する金物であって、該金物は開口部周辺の柱や胴縁端部に固設するため薄口の鋼板からなる皿長孔や皿孔を有する基板部を形成し、基板部先端より鋭角に折曲した第１の折曲片部を形成し、第１の折曲片部先端より基板部にＵ字形状開口を切り抜き、切り残し基端より放物線形状板部を基板部の表側に突出し、該放物線形状板部にはネジ用の皿孔を形成し、第１の折曲片部先端よりネジ孔を有する第２の折曲片部を折曲形成したことを特長とする」ものである。
【０００６】
この取付け金具により、従来のクサビ状部材を打ち込んで位置を決め、ボンドで接着したり、外部から見えぬように隠し釘を打ったりすることなく、施工が可能となった。
【０００７】
その後、この取付け金具に類似したようなものも登場してきており、例えば図１０で示したものがそれである。これは、本体部１と裏面側へ屈曲した前板部６を有し、本体部１には横長状の仮止め釘用孔４と本止め釘用孔５を有し、前板部６は側方から見て湾曲状をしており、そこに取付けネジ用孔１１を形成している（図面符号は本願考案のものと対応させてある）。
【考案の開示】
【考案が解決しようとする課題】
【０００８】
しかし、施工現場で上記特許文献に記載の取付け金具を使用して、内装化粧枠へネジをねじ込む際に十分に注意しないと、該取付け金具の位置がずれることがあったり、該取付け金具がネジの回転方向へねじれて斜め状になることがあったり、枠柱の面から浮き上がったりする場合のあることが判った。
【０００９】
また図１０で示したものでは、ネジ用の孔が取付け金具本体部の裏側にあるため、施工現場で内装化粧枠へネジをねじ込む作業が難しくなっているし、ねじ込み時に取付け金具がネジの回転方向へねじれて斜め状になり易かったり、取付け後に該取付け金具が柱の面から浮き上がり易かったりした。
【００１０】
本考案は、上記従来のこの種の金具が有する問題点の解消を課題としたものである。即ち本考案の目的は、クサビ状部材やボンドや隠し釘を用いること無く施工が可能であることは勿論のこと、従来品よりも容易・迅速に施工ができるとともに、取付け金具が位置ずれしたりねじれて斜めになったりせずに正確に取付けられ、かつ上面へ内装板を張った場合に浮き上がったりしない内装化粧枠の取付け金具を提供することにある。
【課題を解決するための手段】
【００１１】
本考案に係る窓枠サッシの内装化粧枠取付け金具Ａは、
薄鋼板製で、ほぼ矩形状をした本体部１には、前後方向へ長い仮止め釘用孔４と、前後方向へ並んだ複数個の本止め釘用孔５を形成し、
該本体部１の前部には、裏面側で斜め後方へ屈曲した後に前方へ屈曲した前板部６と、本体部１の前縁７中央部から後方への切欠き凹所８を形成するとともに、前縁７の両側を前方へ突出延長して尖頭の位置決め用爪片９，９を形成し、
上記前板部６の表面寄り中央部を斜め前方へ延長して表面側への突出舌片１０を形成するとともに、その中央部に取付け用ネジ用孔１１を形成し、
かつ、該突出舌片１０両側に本体部１の前縁７からの切欠き部１２，１２を形成したものである。
【００１２】
上記構成で、前後方向とは、この取付け金具Ａを取付け時に本体部１をスライドさせる方向で、前方とは内装化粧枠３を向いた方を指す。また裏面とは取付け時に本体部１が枠柱２に接する面で、表面とは施工者に見える面を指す。
【考案の効果】
【００１３】
上記本考案に係る窓枠サッシの内装化粧枠取付け金具Ａを用いて施工する場合は、次のようになる。
縦・横の枠柱２で形成された窓枠用の矩形状の開口部内に、予め周囲に内装化粧枠３を取付けられた窓枠サッシをはめ込んだ状態で、内装化粧枠３外周の上・下・左・右を縦・横の枠柱２に複数個の本考案の取付け金具Ａで固定する（例えば図３参照）。
【００１４】
イ）その場合にまず、本考案の各取付け金具Ａを、各前板部６が内装化粧枠３と枠柱２の間の隙間１７に嵌まり、裏側面が枠柱２の側面１８に面当接した状態にして（例えば図４参照）、仮止め釘用孔４に仮止め用釘１３を打って、各取付け金具Ａを枠柱２の側面１８に仮止めしておく（例えは図５参照）。
【００１５】
ロ）次に、前板部６の突出舌片１０の取付け用ネジ用孔１１に取付け用ネジ１５を差し込んでねじ込むが、その突出舌片１０は本体部１の表面側へも突出しているので、取付け用ネジ用孔１１が本体部１の裏側に没しているものに比べて、ネジ１５の差し込みやねじ込みの作業を容易・迅速に行える（例えば図６参照）。
【００１６】
ハ）その際、前板部６の突出舌片１０が斜め前方を向いており、そこに取付け用ネジ用孔１１を形成してあるので、該取付け用ネジ用孔１１の中心線ａと一致する状態で、ネジ１５を斜め前方へ差し込み、ねじ込んでいけばよいから（例えば上記図６参照）、この面でも作業が容易・迅速になっている。
【００１７】
ニ）また、上記突出舌片１０の取付け用ネジ用孔１１にネジ１５を斜め前方へねじ込んでいくと、スライド可能な本体部１も前進して、前縁７両側から前方突出した尖頭の位置決め用爪片９，９が内装化粧枠３の側面１９に達することになって、やや斜め前方へ食い込んでいく（例えば上記図６参照）。
【００１８】
この場合に、本考案での位置決め用爪片９，９が、上記の如く本体部１の前縁７を前方へ延長する形で、しかも前縁７の両側に設けてあることにより、取付け用ネジ１５をねじ込んだ際に、本体部１は前部が内装化粧枠３の側面１９の２箇所で位置が決まめられている。そのため、電動ドリル等で取付け用ネジ１５をねじ込む回動力が本体部１に加わっても、前部の２箇所で位置決めされた本体部１は、ネジ１５の回動方向へねじれて斜め状になったりしない。
【００１９】
ホ）さらに上記取付け用ネジ１５をねじ込んでいくと、位置決め用爪片９，９に続いて斜め前方を向いた突出舌片１０の先端も、ネジ１５の頭部２１の裏側で押されて内装化粧枠３の側面１９へ当接するが（上記図６参照）、該突出舌片１０両側には切欠き部１２，１２を形成したことで、該突出舌片１０は両側に切欠き部１２，１２のある基部２０の近傍で曲がり易くなっている。
【００２０】
そのため、取付け用ネジ１５にさらに斜め前方へのねじみ力が加わることで、ネジ１５の頭部２１の裏側で押された突出舌片１０は、本体部１の前板部６に対して基部２０を中心に斜め前方へ曲がり気味となって、内装化粧枠３の側面１９へ食い込んだ状態で、取付けられることになる（例えば図７参照）。
【００２１】
ヘ）各取付け金具Ａについて、上記の取付け用ネジ１５のねじ込みを行った後に、枠柱２と内装化粧枠３との上・下・左・右の隙間１７が均等になるように調整しながら、各取付け金具Ａの各仮止め釘用孔４内の仮止め用釘１３を打ち込み、かつ各本止め用孔５に本止め用釘１４を打ち込んで、本取付けすればよい（例えば図８参照）。
【００２２】
ト）上記の如くに取付け用ネジのねじ込んだ際に、各突出舌片１０が両側の切欠き部１２，１２によって基部２０を中心に斜め前方へ曲がり、内装化粧枠３の側面１９へ食い込んでいることで、取付け用ネジ１５の頭部２１が本取付け金具Ａの本体部１表面側とはほぼ同一面になっている（例えば上記図８参照）。
【００２３】
そのため、枠柱２や本取付け金具Ａの上から例えば石膏ボードのような内装板１６を張り付けた場合に（例えば図３参照）、該内装板１６の裏面が本取付け金具Ａや取付け用ネジ１５の頭部２１によって浮き上がったりすることがなく（例えば図９参照）、均一な平坦面に張りつけることができる。
【考案を実施するための最良の形態】
【００２４】
本考案に係る窓枠サッシの内装化粧枠取付け金具Ａは、鋼板をプレス加工により、矩形状本体部１の前縁７両側を前方へ延長して尖頭の位置決め用爪片９，９を形成し、裏側へ屈曲した前板部６の表面寄り中央部を斜め前方へ延長して表面側への突出舌片１０を形成して、その中央部に取付け用ネジ用孔１１を形成し、かつ、該突出舌片１０両側に本体部１の前縁７から切欠き部１２，１２を形成したものである。
【００２５】
この構成により、大量生産に適するとともに、クサビ状部材やボンドや隠し釘を用いること無く、従来品よりも容易・迅速に施工ができ、かつ、取付け金具Ａが位置ずれや捩じれて斜め状になることなく正確に取付けられ、しかも上面へ内装板を張った場合に浮き上がったりしないように施工できるようになる。
【実施例１】
【００２６】
図１ないし図９は、本考案に係る窓枠サッシの内装化粧枠取付け金具Ａの実施例を示すものであり、ここでは厚さ約０．３５ｍｍのステンレス製板で形成したものであり、本体部１と前板部６を有する。
【００２７】
本体部１は、前後方向即ち取付け時にスライドさせる方向（例えば図４で左右方向）へ長めの矩形状で、ここでは約４５ｍｍ×２５ｍｍ程度の大きさとしてある。該本体部１には、前後方向に長い仮止め釘用孔４を、ここでは約２０ｍｍ×３．０ｍｍ程度の大きさに形成するとともに、前後方向へ等間隔状にここでは３個並べて内径約３．０ｍｍの本止め釘用孔５を形成してある。またその前縁７からは、内径約１１ｍｍのほぼ半円形状の切欠き凹所８を形成してある。なお、本止め釘用孔５は、そのいずれかを選択して本止め用釘１４を打つようにすればよい。
【００２８】
前板部６は、上記本体部１前部に裏面側へ、即ち本体部１を取付け時に枠柱２の側面１８へ当接する方へ屈曲させてあり、ここでは約５．０ｍｍを本体部１との角度が約５０度になるように斜め後方へ、それに続く先部の約８．０ｍｍを前方へ約４０度屈曲させた形状としてある。
【００２９】
９，９は位置決め用爪片を示し、施工時に先ずこの位置決め用爪片９，９が内装化粧枠３の側面１９に食い込んでいくように、本体部１の前縁７両側を前方へ延長して尖頭にしてあり、ここでは前縁７から前方へ約２．０ｍｍ突出している。
【００３０】
１０は突出舌片を示し、上記前板部６の表面寄りの中央部を斜め前方へ延長したものであり、ここでは約３．０ｍｍ程表面側へ突出しており、その中央部に取付け用ネジ用孔１１を、ここでは内径約４．０ｍｍで形成してある。
【００３１】
該突出舌片１０の両側には、ここでは幅および深さとも約２．０ｍｍの浅い切欠き部１２，１２を形成してあるが、ここでは該切欠き部１２，１２の奥端２２，２２を結ぶ線ｂが上記取付け用ネジ用孔１１のほぼ中心を通るような関係に形成してある。
【００３２】
なお、上記実施例の説明で示した材質・寸法等はそれに限るものでないことは勿論である。図で、２３は窓枠サッシ、２４は胴ブチ材、２５は内壁、２６は内装板取付け用ネジを示す。
【図面の簡単な説明】
【００３３】
【図１】本考案に係る内装化粧枠取付け金具の実施例を示す斜視図である。
【図２】図１で示したものの前方からみた図である。
【図３】図１で示したものを用いた施工例を示す一部切欠き部正面図である。
【図４】図１で示したもので施工時に、その本体部を枠柱の側面に当接させた状態を示す拡大断面図である。
【図５】図４の状態に続き、仮止め用釘を打って仮止めした状態を示す拡大断面図である。
【図６】図５の状態に続き、取付け用ネジを内装化粧枠の側面にねじ込み始めた状態を示す拡大断面図である。
【図７】図６の状態に続き、取付け用ネジをねじ込んだ状態を示す拡大断面図である。
【図８】図６の状態に続き、仮止め用釘および本止め用釘を打ち込んだ状態を示す拡大断面図である。
【図９】図６の状態に続き、内装板を上から張った状態を示す拡大断面図である。
【図１０】非特許文献で示した従来例を描いた斜視図である。
【符号の説明】
【００３４】
Ａ−取付け金具
１−本体部
２−枠柱
３−内装化粧枠
４−仮止め釘用孔
５−本止め釘用孔
６−前板部
７−前縁
８−切欠き凹所
９−位置決め用爪片
１０−突出舌片
１１−取付けネジ用孔
１２−切欠き部
１３−仮止め用釘
１４−本止め用釘
１５−取付け用ネジ
１６−内装板
１７−隙間
１８−側面
１９−側面
２０−基部
２１−頭部
２２−奥端
２３−窓枠サッシ
２４−胴ブチ材
２５−内壁
２６−内装板取付け用ネジ
ａ−中心線
ｂ−結ぶ線
【図１】
0003100760.tif 000003
【図２】
0003100760.tif 000004
【図３】
0003100760.tif 000005
【図４】
0003100760.tif 000006
【図５】
0003100760.tif 000007
【図６】
0003100760.tif 000008
【図７】
0003100760.tif 000009
【図８】
0003100760.tif 000010
【図９】
0003100760.tif 000011
【図１０】
0003100760.tif 000012